(57)【特許請求の範囲】
【請求項１】
展げることで上部が開口された略直方体形の布団収納空間を形成する袋本体と、前記布団収納空間の開口を開閉可能に被覆する蓋体とを備えた布団収納袋において、
前記袋本体および蓋体は柔軟性を有するシート状の部材で構成されるとともに、前記袋本体の内部には、水平方向に折り畳み可能で、かつ、展開することによって前記袋本体を略直方体形に保形する保形部材を備え、
前記保形部材は、展開した状態で前記袋本体の内側面のうちの少なくとも隣接する２面以上の内側面と対面する板状の部材で構成されており、前記隣接する内側面によって形成される内側角部に対応する位置に折り畳み用の折り目が形成されるとともに、そのうちの一の面が、前記布団収納袋の取っ手とともに前記袋本体に逢着接合されていることを特徴とする布団収納袋。
【請求項２】
前記保形部材は、前記袋本体の内側面のうちの３面と対面するように構成されており、これら３面のうちの中間に位置する板状の部材には、当該板状の部材をさらに折り畳み可能にする第２の折り目が形成されていることを特徴とする請求項１に記載の布団収納袋。
【請求項３】
前記保形部材は、前記袋本体の内側面のすべての面に対面するように構成されており、そのうちの対向する一対の板状の部材に、これら一対の板状の部材をそれぞれさらに折り畳み可能にする第２の折り目が形成されていることを特徴とする請求項１に記載の布団収納袋。
【請求項４】
前記袋本体または蓋体は、少なくともその一部が透明に構成されていることを特徴とする請求項１から３のいずれかに記載の布団収納袋。
【発明の詳細な説明】
【技術分野】
【０００１】
この発明は布団収納袋に関し、より詳細には、店頭への布団の陳列に適した布団収納袋に関する。
【背景技術】
【０００２】
近時、布団販売店などの店頭における布団の陳列には、布団を布団収納袋に収容した状態での陳列が多くなっている。この種の陳列に利用される布団収納袋は、布団を折り畳んだ状態で収納するようになっており、展げたときに略直方体形の布団収納空間が形成されるように不織布などの柔軟性を有するシート材を縫製するとともに、その一部に袋の開閉を行うファスナを装着してなり、このファスナを開くことによって形成される開口部から布団収納空間への布団の出し入れを行うようになっている。
【先行技術文献】
【特許文献】
【０００３】
【特許文献１】特開２００４−４２９７２号公報の図７
【発明の概要】
【発明が解決しようとする課題】
【０００４】
しかしながら、このような従来の布団収納袋には以下のような問題があり、その改善が望まれていた。
【０００５】
すなわち、この種の布団収納袋は、その全体が不織布などの柔軟性を有するシート材で構成されていることから、布団を収納しないときにはコンパクトに折り畳むことができる反面、ファスナを開いたときに布団収納空間の開口部の形を一定に保つことができないので、布団の収納を手際よく行えないという問題があった。特に、布団を工場から出荷するときのように、多数の布団を一枚ずつ布団収納袋に収納する作業を行うような場合には、個々の布団の収納に手間取るため、作業効率が悪いという問題があった。
【０００６】
また、布団収納時における布団収納袋の形は、専ら袋内に収容された布団（折り畳まれた状態の布団）によって保たれるようになっているので、布団の展示に際して布団収納袋を積み重ねると、下層に配置された布団収納袋は上層に配置された布団収納袋の重みで変形してしまい、整然と積み重ねることができなくなるという問題もあった。
【０００７】
本発明は、このような問題点に鑑みてなされたものであって、その目的とするところは、布団を収納しないときにはコンパクトに折り畳むことができる一方で、布団収納作業を容易かつ迅速に行うことができるとともに、積み重ねての使用にも適した布団収納袋を提供することにある。
【課題を解決するための手段】
【０００８】
記目的を達成するため、本発明の請求項１に記載の布団収納袋は、展げることで上部が開口された略直方体形の布団収納空間を形成する袋本体と、上記布団収納空間の開口を開閉可能に被覆する蓋体とを備えた布団収納袋において、上記袋本体および蓋体は柔軟性を有するシート状の部材で構成されるとともに、上記袋本体の内部には、水平方向に折り畳み可能で、かつ、展開することによって上記袋本体を略直方体形に保形する保形部材を備え、上記保形部材は、展開した状態で上記袋本体の内側面のうちの少なくとも隣接する２面以上の内側面と対面する板状の部材で構成されており、上記隣接する内側面によって形成される内側角部に対応する位置に折り畳み用の折り目が形成されるとともに、そのうちの一の面が、上記布団収納袋の取っ手とともに上記袋本体に逢着接合されていることを特徴とする。
【０００９】
すなわち、この請求項１に係る布団収納袋では、布団を収納するにあたり、袋本体の内部に備えられた保形部材を水平方向に展開することで、布団収納空間を形成する袋本体が上部を開口した略直方体形に保形されるので、布団収納空間への布団の出し入れを容易かつ迅速に行うことができる。また、保形部材を展開した状態では、少なくとも上下方向に加えられる荷重に対して保形部材が布団収納空間の型崩れを防ぐように機能するので、上下に布団収納袋を積み重ねても下層の布団収納袋が重みで変形することが抑制され、積み重ねての使用に適した布団収納袋を提供することができる。しかも、布団を収納しないときには、保形部材を水平方向に折り畳むことで、布団収納袋をコンパクトに折り畳むことができる。
【００１１】
また、請求項１に係る布団収納袋では、展開された保形部材が袋本体の内側面のうちの少なくとも隣接する２面以上の内側面と対面する板状の部材で構成されるので、袋本体は布団収納空間の幅方向と奥行き方向について保形される。そのため、この布団収納袋によれば、布団収納空間の開口の形が保形部材によって型崩れすることなく保持されるので、布団の出し入れを容易かつ迅速に行うことができる。しかも、保形部材のうちの一面が袋本体と接合されているので、保形部材が袋本体から脱落したり、袋本体内で保形部材が位置ずれを起こすことがない。そのため、この布団収納袋では、保形部材を展開する際に保形部材の位置を修正する作業が省略され、保形部材の展開を迅速に行うことができるとともに、布団を収納しない時における布団収納袋の取り扱いが容易になる。
【００１２】
また、本発明の請求項２に記載の布団収納袋は、請求項１に記載の布団収納袋において、上記保形部材は、上記袋本体の内側面のうちの３面と対面するように構成されており、これら３面のうちの中間に位置する板状の部材には、当該板状の部材をさらに折り畳み可能にする第２の折り目が形成されていることを特徴とする。
【００１３】
すなわち、この請求項２に係る布団収納袋では、保形部材が袋本体の内側面のうちの３面と対面するように構成されているので、保形部材は布団収納空間の内側面に沿って略コの字形に配置される。そして、保形部材において中間に位置する板状の部材に第２の折り目が形成されていることから、この第２の折り目を内側に折り込むことで保形部材をＭ字状（図３参照）に折り畳むことができる。したがって、この布団収納袋では、布団を収納しないときには保形部材を１枚の板状に折り畳むことができ（図３（ａ）参照）、布団収納袋をコンパクトに折り畳むことができる。
【００１４】
また、本発明の請求項３に記載の布団収納袋は、請求項１に記載の布団収納袋において、上記保形部材は、上記袋本体の内側面のすべての面に対面するように構成されており、そのうちの対向する一対の板状の部材に、これら一対の板状の部材をそれぞれさらに折り畳み可能にする第２の折り目が形成されていることを特徴とする。
【００１５】
すなわち、この請求項３に係る布団収納袋では、保形部材が袋本体の内側面のすべての面と対面するように構成されているので、保形部材は布団収納空間の内側面に沿って略ロ字形に配置される。そして、対向する一対の板状の部材にそれぞれ第２の折り目が形成されていることから、これら第２の折り目をそれぞれ内側に折り込むことで、保形部材を１枚の板状に折り畳むことができる。したがって、この布団収納袋においても、布団を収納しないときには布団収納袋をコンパクトに折り畳むことができる。
【００１６】
また、本発明の請求項４に記載の布団収納袋は、請求項１から３に記載の布団収納袋において、上記袋本体または蓋体は、少なくともその一部が透明に構成されていることを特徴とする。
【００１７】
すなわち、この請求項４に係る布団収納袋では、袋本体または蓋体の少なくともその一部が透明に構成されていることにより、透明部分を介して布団収納空間内に収納された布団の絵柄などを外側から視認できるようになり、陳列に適した布団収納袋を提供することができる。
【発明の効果】
【００１８】
本発明によれば、保形部材を水平方向に展開することで、袋本体の上部が開口された状態で布団収納空間が略直方体形に保形されるので、布団の出し入れを容易かつ迅速に行うことができる。そして、保形部材を展開した状態では、布団収納空間の型崩れが保形部材によって防がれるので、積み重ねての使用に適した布団収納袋を提供することができる。しかも、布団を収納しないときには、保形部材を水平方向に折り畳むことで、布団収納袋をコンパクトに折り畳むことができる。
【図面の簡単な説明】
【００１９】
【図１】本発明に係る布団収納袋の外観構成の一例を示す斜視図である。
【図２】同布団収納袋に備えられる保形部材の一例を示す斜視図である。
【図３】同布団収納袋に備えられる保形部材を展開する様子を模式的に示した説明図であり、図３（ａ）は同保形部材が折り畳まれた状態を、図３（ｂ）は同保形部材を展開する途中の状態を、図３（ｃ）は同保形部材を完全に展開した状態をそれぞれ示している。
【図４】同布団収納袋に備えられる保形部材の他の一例を示す斜視図である。
【発明を実施するための形態】
【００２０】
以下、本発明の実施形態を図面に基づいて詳細に説明する。
実施形態１
本発明に係る布団収納袋は、布団販売店などの店頭における布団の陳列ならびに布団の運搬に用いるのに適した構造を備えた布団収納袋であって、図１に示すように、袋本体１と、蓋体２と、保形部材３とを主要部として構成されている。
【００２１】
袋本体１は、展げることで上部が開口された略直方体形の布団収納空間Ａを形成する袋であって、不織布などの柔軟性を有するシート材により構成されている。
【００２２】
本実施形態では、この袋本体１は、不織布で構成された矩形の底面パネル部（図示せず）の周縁に、当該底面パネル部と同様の不織布で構成された矩形の側面パネル部４を逢着することによって構成されており、底面パネルと側面パネル４とで囲まれた略直方体形を呈する内部空間が布団収納空間Ａを構成するようになっている。
【００２３】
ここで、側面パネル４は、その幅方向Ｗおよび奥行き方向Ｄ（図１参照）の各面をそれぞれ個別のパネル、つまり４枚の不織布シートを繋ぎ合わせて側面パネル４を構成することも可能であるが、本実施形態では、奥行き方向Ｄの１面を除く他の３面を細長い一枚の不織布シートで構成し、これを奥行き方向Ｄの１面の不織布シートに繋ぎ合わせることによって側面パネル４を構成している。このように３面を一枚の不織布シートで構成するのは、縫製個所を少なくし、側面パネル４の製作の手間を少なくするためである。
【００２４】
蓋体２は、布団収納空間Ａの上部に形成される開口を開閉可能に被覆するための蓋となる部材であって、この蓋体２も袋本体１と同様に柔軟性を有するシート材で構成されている。
【００２５】
本実施形態では、この蓋体２には布団収納空間Ａ内の様子が外部から視認できるように透明なシート材（たとえば、ビニール製のシート）が用いられており、その外周のうちの一辺（図示例では、奥行き方向Ｄの一辺）が袋本体１の上端の開口部分に逢着されている。そして、この蓋体２の外周の自由縁（袋本体１と逢着されない周縁）には、図示しないが袋本体１の上端の開口部分と係合するファスナなどの留め具が装着され、この留め具を閉じることによって蓋体２の外周の自由縁が袋本体１の上端の開口部分の周縁に係合し、布団収納空間Ａの開口を被覆するように構成されている。つまり、この蓋体２は留め具を開放する（ファスナを開く）ことによって、図１に示すように、蓋体２を開いて、布団収納空間Ａを開口させることができるようになっている。
【００２６】
保形部材３は、前記袋本体１の内部に収容されて、袋本体１の内側から袋本体１の形状を保形するのに用いられる部材であって、水平方向に折り畳み可能で、かつ、展開することによって袋本体１を略直方体形に保形できるように構成されている。
【００２７】
本実施形態では、この保形部材３は、図２に示すように、展開したときに保形部材３の外側の面が袋本体１の内側面のうちの３面と対面するように、板状の部材を略コ字状に繋ぎ合わせることによって構成されている。具体的には、保形部材３は、袋本体１の内側面（具体的には、側面パネル４の内側面）の形状寸法に対応しており、側面パネル４の奥行き方向Ｄの面の形とほぼ同形の（具体的には、側面パネル４よりもわずかに小さい）中央パネル３ａと、その両端に側面パネル４の巾方向Ｗの面の形とほぼ同形の（具体的には、側面パネル４よりもわずかに小さい）一対の側部パネル３ｂ、３ｂとを備えて構成されている。
【００２８】
中央パネル３ａと側部パネル３ｂとの接合部分は、側部パネル３ｂ，３ｂを水平方向に折り畳めるように、その高さ方向Ｈ（図１参照）に沿って折り目３１が形成されており、この折り目３１に沿って側部パネル３ｂ,３ｂが屈曲自在に構成されている。つまり、この折り目３１は、袋本体１において隣接する側面パネル４の内側面によって形成される内側角部（幅方向Ｗに配設される側面パネル４と奥行き方向Ｄに配設される側面パネル４によって形成されるコーナ）に対応する位置に形成されている。
【００２９】
そして、保形部材３の中間に位置する中央パネル３ａには、当該中央パネル３ａをさらに水平方向に折り畳み可能にする第２の折り目３２が形成されており、この第２の折り目３２に沿って中央パネル３ａが屈曲自在に構成されている。本実施形態では、この第２の折り目３２は、中央パネル３ａの奥行き方向Ｄの中央に高さ方向Ｈに沿って１条形成されており、中央パネル３ａは二つ折りできるようになっている（図３（ａ）参照）。なお、この第２の折り目３２は、保形部材３を折り畳んだときにおける奥行き方向Ｄの嵩を小さくするための折り目であり、中央パネル３ａの奥行き方向Ｄに複数条設けられていてもよい。
【００３０】
ここで、保形部材３において、中央パネル３ａおよび側部パネル３ｂを構成する板材は、いずれも厚紙（板紙）や樹脂板などの硬質の板材で構成されている。本実施形態では、側部パネル３ｂ、３ｂはそれぞれ一枚の板材、中央パネル３ａは第２の折り目３２を挟んで２枚の板材で構成されており、これらを不織布などの柔軟性を有するシートで構成された袋に収容するとともに、この袋における各板材のつなぎ目部分の表裏を逢着することによって、当該繋ぎ目部分をそれぞれ折り目３１および第２の折り目３２として構成している。
【００３１】
そして、この保形部材３は、そのうちの少なくともその一の面（図示例では、一方の側部パネル３ｂ）が袋本体１の側面パネル４と逢着され、両者が分離しないように接合されている。なお、この接合にあたり、本実施形態では、布団収納袋の取っ手５を袋本体１に逢着する際に、取っ手５とともに保形部材３が袋本体１に逢着されている（なお、図２において、符号５１はこの逢着位置を示している）。このように、保形部材３を取っ手５とともに袋本体１に逢着することで、縫製工程を少なくすることができる。
【００３２】
次に、このように構成された布団収納袋の使用方法について図３に基づいて説明する。
この布団収納袋は、上述したように保形部材３に折り目３１および第２の折り目３２が備えられていることから、布団収納袋内に布団を収納しない場合には、保形部材３は、図３（ａ）に示すように、第２の折り目３２を内側に折り込むようにして略Ｍ字状に折り畳んでおく。これにより、保形部材３の奥行き方向Ｄの嵩が小さくなり、保形部材３がコンパクトに折り畳まれる。
【００３３】
なお、図３では図示の便宜上、袋本体１を展開した状態である矩形に描いているが、袋本体１および蓋体２はいずれも柔軟性を有するシート材で構成されているので、保形部材３を折り畳んだときは、これらも保形部材３に合わせて折り畳んでおくことができ、布団を収納しない場合に布団収納袋をコンパクトに畳んでおくことができる。
【００３４】
そして、布団収納袋に布団を収納する場合には、図３（ｂ）に示すように、中央パネル３ａの第２の折り目３２を延ばすようにして保形部材３を展開し、最終的に、図３（ｃ）に示すように保形部材３を略コ字状に展ろげることによって、布団収納袋が略直方体形に保形される。その結果、袋本体１における布団収納空間Ａの上部の開口が大きく矩形に広げられるので、蓋体２を開いておけば、布団の出し入れを容易に行うことができるようになる。
【００３５】
このように、本発明の布団収納袋は、布団を収納しないときはコンパクトに折り畳むことができる一方で、布団を収納する際には、保形部材３を折り目３１および第２の折り目３２に沿って展開することで布団の出し入れを容易かつ迅速に行うことができる。しかも、保形部材３は硬質の板材で構成されているので、布団収納袋を積み重ねても袋本体１（布団収納空間Ａ）が型崩れし難く、積み重ねての使用にも適している。
【００３６】
実施形態２
次に、本発明の第２の実施形態を図４に基づいて説明する。
この第２の実施形態に示す布団収納袋は、上述した実施形態１に示す布団収納袋の保形部材３の形状を改変したものであって、保形部材３が布団収納空間Ａの内側面のすべての面（つまり４面）に対面するように環状に構成されている。なお、本実施形態に示す布団収納袋は、かかる点を除けば、上述した実施形態１の布団収納袋と構成がほぼ共通するので、共通する部分には同一の符号を付して説明を省略する。
【００３７】
この実施形態に示す布団収納袋では、図４に示すように、保形部材３の中央パネル３ａが上述した実施形態１に示す布団収納袋の保形部材３に対して一枚追加されており、保形部材３は一対の中央パネル３ａ，３ａと一対の側部パネル３ｂ、３ｂとで構成される。
【００３８】
そして、追加された中央パネル３ａと側部パネル３ｂ，３ｂの接合部分は、上述した実施形態１と同様に、水平方向に折り畳めるように折り目３１が形成されている。また、追加された中央パネル３ａの奥行き方向Ｄの中央にも実施形態１の保形部材３と同様に第２の折り目３２が形成されている。つまり、この実施形態に示す保形部材３では、一対の板状の部材（中央パネル３ａ）のそれぞれに第２の折り目が形成されている。
【００３９】
しかして、このように構成された布団収納袋では、布団を収納しない場合には、保形部材３の一対の中央パネル３ａ，３ａの第２の折り目３２をそれぞれ内側に折り込むようにして略Ｍ字状に折り畳み、奥行き方向Ｄの嵩を小さくする。
【００４０】
そして、布団を収納する場合には、一対の中央パネル３ａ，３ａの第２の折り目３２，３２をそれぞれ延ばすように展開して保形部材３を略ロ字状に展ろげることにより、袋本体１を略直方体形に保形する。これにより、本実施形態の布団収納袋１においても布団収納空間Ａの上部の開口が大きく広げられるので、蓋体２を開いておけば、布団の出し入れを容易に行うことができるようになる。
【００４１】
このように、本実施形態に示す布団収納袋も、布団を収納しないときはコンパクトに折り畳むことができる一方で、布団を収納する際には、保形部材３を折り目３１および第２の折り目３２に沿って展開することで布団の出し入れを容易かつ迅速に行うことができる。そして、本実施形態では、保形部材３が袋本体１のすべての内側面に配されるので、布団収納袋の積み重ねによる袋本体１（布団収納空間Ａ）が型崩れのおそれがより少なくなり、積み重ねての使用により適している。
【００４２】
なお、上述した実施形態はあくまでも本発明の好適な実施態様を示すものであって、本発明はこれらに限定されることなくその範囲内で種々の設計変更が可能である。
【００４３】
上述した実施形態では、保形部材３が袋本体１の内側面のうちの３面または４面と対面するように構成した場合を示したが、保形部材３は、展開した状態で布団収納空間Ａの内側面のうちの少なくとも隣接する２面以上の内側面と対面するように構成されていればよく、たとえば、展開した状態でＬ字状になるように保形部材３を構成することも可能である。
【００４４】
また、上述した実施形態では、布団収納空間Ａ内の様子を外部から視認できるように蓋体２を透明なシート材で構成した場合を示したが、布団収納空間Ａ内の様子は布団収納袋のいずれかの部位から視認できればよいので、袋本体１または蓋体２の少なくともその一部が透明な部材で構成されていてもよい。たとえば、袋本体１において保形部材３によって布団収納空間Ａの視認が阻害されない部位に小窓状の開口を設けて、この開口に透明なシート材を逢着するように構成することも可能である。
【００４５】
また、上述した実施形態では、保形部材３の側部パネル３ｂ，３ｂをそれぞれ一枚の板材で構成した場合を示したが、側部パネル３ｂ，３ｂにも第２の折り目３２を設けて、側部パネル３２をさらに折り畳み可能に構成することも可能である。
【符号の説明】
【００４６】
１            袋本体
２            蓋体
３            保形部材
３ａ          中央パネル
３ｂ          側部パネル
４            側面パネル
５            取っ手
３１          折り目
３２          第２の折り目
【図１】
0005829172.tif 000002
【図２】
0005829172.tif 000003
【図３】
0005829172.tif 000004
【図４】
0005829172.tif 000005